(57)【要約】【課題】携帯端末装置の報知動作を変更することにより、無線通信をより確実に実行することができる携帯端末装置及び端末制御方法を提供することを目的とする。【解決手段】携帯端末１００は、他の通信装置と無線通信を行う近接無線通信モジュール１０９と、イベント発生時の報知動作を実行する呼制御モジュール１１４、報知デバイスとしてバイブレータ１１１、ＬＥＤ１１２、効果音用スピーカ１１３とを有する。無線通信を実行する場合、待ち受けモード管理アプリケーション２００は待ち受けモード設定情報３００に記憶している報知デバイスのＯＮ／ＯＦＦ設定を確認する。バイブレータ１１１がＯＮに設定されている場合、呼制御モジュール１１４はバイブレータ１１１をＯＦＦに変更し振動による報知を停止する。【選択図】  図２
2011160155.tif 000002
【特許請求の範囲】
【請求項１】
他の通信装置と無線通信によりデータの通信を行う無線通信部と、
イベントの発生に応じて振動するバイブレータと、
前記無線通信部によるデータの通信中、前記バイブレータの振動を無効化する制御部と
を有することを特徴とする携帯端末装置。
【請求項２】
前記携帯端末装置は、イベントの発生に応じて発光する発光部を更に有し、
前記制御部は、前記無線通信部によるデータの通信中、前記バイブレータの振動を無効化し、前記発光部を発光させることを特徴とする請求項１に記載の携帯端末装置。
【請求項３】
前記携帯端末装置は、イベントの発生に応じて音声を出力する音声出力部を更に有し、
前記制御部は、前記無線通信部によるデータの通信中に、前記バイブレータの振動を無効化し、前記音声出力部から音声を出力させることを特徴とする請求項１に記載の携帯端末装置。
【請求項４】
前記制御部は、前記無線通信によるデータ送受信が終了すると、前記バイブレータの振動を有効にすることを特徴とする請求項１に記載の携帯端末装置。
【請求項５】
前記表示部に、前記データ通信中の前記バイブレータによる振動を無効化するか否かを選択可能な画面を表示する表示部を更に有することを特徴とする請求項１に記載の携帯端末装置。
【請求項６】
無線通信機能を備える携帯端末装置の端末制御方法であって、
前記無線通信によるデータの通信を行い、
前記携帯端末装置の筐体内のバイブレータを振動させることによりイベントの発生を報知し、
データの通信中は、前記バイブレータを振動させないことを特徴とする端末制御方法。
【請求項７】
前記携帯端末装置に設けられる発光部にて発光することによりイベントの発生を報知し、
前記データの通信中は、前記発光部を前記イベントに応じて発光させることを特徴とする請求項６に記載の端末制御方法。
【請求項８】
前記携帯端末装置に設けられる音声出力部にて音声を出力することによりイベントの発生を報知し、
前記データの通信中は、前記音声出力部を前記イベントに応じて音声を出力させることを特徴とする請求項６に記載の端末制御方法。
【請求項９】
前記無線通信によるデータ通信が完了後にイベントの発生が発生すると、前記バイブレータを振動させることを特徴とする請求項６に記載の端末制御方法。
【請求項１０】
前記無データ通信中の前記バイブレータによる振動を無効化するか否かを選択可能な画面を表示することを特徴とする請求項６に記載の端末制御方法。
【発明の詳細な説明】
【技術分野】
【０００１】
本発明は、携帯端末装置及び端末制御方法に関する。
【背景技術】
【０００２】
近年、携帯電話は広く普及し、携帯電話によって通話やメール等を送受信することができる。通常、携帯電話に着信があった場合やメールを受信した場合には、スピーカから出力される音や、バイブレータの振動、ＬＥＤの光等によりユーザに報知される。
【０００３】
ユーザは、これらの複数の報知デバイスのＯＮ／ＯＦＦを設定した待ち受けモードを、使用場所に応じて選択することができる。例えば、公共交通機関や公共施設では、音による報知を停止したモードが選択される。
【０００４】
また、最近の携帯電話の中には、近距離無線通信機能を併せて持つ機種があり、この近距離無線通信機能と連携させて携帯電話の待ち受けモードを制御することができる（例えば特許文献１参照）。特許文献１には、鉄道の改札口にて近距離無線通信機能を介して鉄道料金の課金を行う場合、課金すると同時に携帯電話の待ち受けモードをサイレントモードに設定して音響鳴動を停止することが開示されている。
【先行技術文献】
【特許文献】
【０００５】
【特許文献１】特開２００７−６８０３１号
【発明の概要】
【発明が解決しようとする課題】
【０００６】
しかしながら、上述の技術が想定している料金課金システムにおいては、近距離無線通信に要する時間はごく短いものである。一方、画像や音楽等の容量の大きなデータを送信する場合、近距離無線通信には一定の時間を要する。例えば、パーソナルコンピュータに代表される電子機器と携帯電話との間で近距離無線通信によって大容量のデータを送受信する場合には、電子機器の無線通信部の近傍に携帯電話が載置されてデータの送受信が行われると考えられる。
【０００７】
しかしながら、着信やメール受信があったことを振動により報知する設定にされている場合、携帯電話が振動することで電子機器の通信部からずれてしまう可能性がある。従って、このような待ち受けモードを設定しているときに、近距離無線通信実行中に着信等があると、振動により携帯電話が通信可能な範囲外に移動してしまい無線通信が切断されてしまう虞がある。
【０００８】
本発明は、上述した点に鑑みてなされたものであり、携帯端末装置の報知動作を変更することにより、無線通信をより確実に実行することができる携帯端末装置及び端末制御方法を提供することを目的とする。
【課題を解決するための手段】
【０００９】
上記目的を達成するために、本発明に係る携帯端末装置は、他の通信装置と無線通信によりデータの通信を行う無線通信部と、イベントの発生に応じて振動するバイブレータと、前記無線通信部によるデータの通信中、前記バイブレータの振動を無効化する制御部とを有することを特徴としている。
【００１０】
また、本発明にかかる端末制御方法は、無線通信機能を備える携帯端末装置の端末制御方法であって、前記無線通信によるデータの通信を行い、前記携帯端末装置の筐体内のバイブレータを振動させることによりイベントの発生を報知し、データの通信中は、前記バイブレータを振動させないことを特徴としている。
【発明の効果】
【００１１】
本発明によれば、携帯端末装置の報知動作を変更することにより、無線通信をより確実に実行することができる携帯端末装置及び端末制御方法を提供することが実現する。
【図面の簡単な説明】
【００１２】
【図１】本実施の形態における無線通信システムの構成図。
【図２】本実施の形態における携帯端末の機能ブロック図。
【図３】本実施の形態における待ち受けモード設定情報の記憶状態の概念図。
【図４】本実施の形態における報知デバイスの制御を設定する設定画面の例。
【図５】本実施の形態における報知デバイス制御のシーケンス図。
【図６】本実施の形態における報知デバイス制御手順を示すフローチャート。
【図７】報知デバイスの設定変更を行った場合の報知手順を示すフローチャート。
【発明を実施するための形態】
【００１３】
以下に、図１〜図７を参照して、本発明の実施の形態について説明する。図１は、本実施の形態における無線通信システムの構成図である。本実施の形態における無線通信システムは、パーソナルコンピュータ１と携帯端末１００とから構成される。この近距離通信距離は通信可能距離が数センチであり、図１に示すようにパーソナルコンピュータ１のパームレスト上に携帯端末１００を載置して実行する。この近距離無線通信を介して、画像や音楽等のコンテンツデータの送受信を行う。
【００１４】
次に、パーソナルコンピュータ１の構造について説明する。パーソナルコンピュータ１は、コンピュータ本体２と、ディスプレイユニット３とから構成されている。コンピュータ本体２とディスプレイユニット３とは、ヒンジ４を介して回動可能に連結されている。ディスプレイユニット３には、ディスプレイ３ａが組み込まれている。ディスプレイ３ａは、例えばＬＣＤ（Ｌｉｑｕｉｄ  Ｃｒｙｓｔａｌ  Ｄｉｓｐｌａｙ）等である。
【００１５】
コンピュータ本体２は、本体筐体２ａと、キーボード５と、タッチパッド６と、電源スイッチ７と、無線通信モジュール８とから構成されている。
本体筐体２ａは、薄い箱状であり、内部に各種の電子部品やディスクドライブ等を収納している。本体筐体２ａ上面には、キーボード５やタッチパッド６等の入力デバイスが設けられている。また、本体筐体２ａ上面のパームレストには、無線通信モジュール８が内蔵されている。
【００１６】
キーボード５は、本体筐体２ａ上面に設けられる入力デバイスである。キーボード５の操作されたキーに応じて信号が各部に伝送される。
タッチパッド６は、本体筐体２ａ上面に設けられるポインティングデバイスである。タッチパッド６の操作に応じて信号が各部に伝送される。
電源スイッチ７は、ユーザによる操作に応じてポータブルコンピュータ１をパワーオン／パワーオフする制御信号を入力する。
無線通信モジュール８は、他の装置と無線通信を実行するモジュールである。無線通信モジュール８は、およそ１センチ四方の大きさの無線通信アンテナ８ａを備え、この無線通信アンテナ８ａと通信相手のアンテナとの間で無線通信を確立する。本実施の形態における近距離無線通信の通信可能距離は数センチであるため、この無線通信アンテナ８ａに対向する位置に通信相手のアンテナがくるように、ユーザは携帯端末１００を載置する必要がある。
【００１７】
また、本実施の形態における近距離無線通信を介して送受信を行うデータとしては、例えば携帯端末１００の記憶している静止画像や音楽、動画像等のデータであり、特に動画像等の大容量のデータである場合には、送受信に一定時間を要する。データ送受信が完了するまでの間は、携帯端末１００をパーソナルコンピュータ１の無線通信アンテナ８ａ上に設置した状態を保持しなければならない。従って、データ送受信中に着信等により携帯端末１００に内蔵されるバイブレータが作動すると、携帯端末１００が移動してデータ送受信が失敗する虞がある。
【００１８】
このような課題を解決するための本実施の形態について説明する。まず、携帯端末１００の構成について説明する。図２は、本実施の形態における携帯端末１００の機能ブロック図である。携帯端末１００は、アンテナ１０１と、電話通信部１０２と、通話制御部１０３と、マイクロホン１０４と、受話用スピーカ１０５と、表示部１０６と、メモリ１０７と、操作入力部１０８と、近接無線通信モジュール１０９と、制御部１１０と、バイブレータ１１１と、ＬＥＤ１１２と、効果音用スピーカ１１３とを備えている。
【００１９】
電話通信部１０２は、アンテナ１０１を介して通信事業者の基地局と所定の周波数帯域による電波の送受信を行う。
通話制御部１０３は、制御部１１０による通信プロトコル制御によって確立された通話チャンネルを用いて送信される信号を復調すると共に送信する信号を変調することによって相手側との通話経路を形成する。
【００２０】
マイクロホン１０４は、外部音声を集音して電気信号に変換し、当該変換した音声信号を通話制御部１０３によって形成された通話経路に送出する。
受話用スピーカ１０５は、通話制御部１０３によって形成された通話経路より送出された音声信号を外部に放音する。
表示部１０６は、制御部１１０の制御のもとで各種情報の表示を行う。着信があった場合やアラーム設定時刻になった場合には、その旨の表示をする。
メモリ１０７は、制御部１１０が実行するアプリケーションや、電話帳データ、メールデータ等の各種データを格納する。本実施の形態においては、待ち受けモード管理アプリケーション２００と、待ち受けモード設定情報３００と、コンテンツ送受信アプリケーション４００、コンテンツデータ５００とを格納する。
【００２１】
待ち受けモード管理アプリケーション２００は、待ち受けモード設定情報３００の管理を行う。待ち受けモード管理アプリケーション２００は、待ち受けモードが変更されると待ち受けモード設定情報３００を更新する。また、待ち受けモード管理アプリケーション２００は、選択中の待ち受けモードを併せて記憶する。
【００２２】
待ち受けモード設定情報３００は、待ち受けモードと報知デバイスの動作設定とを対応付けた設定情報である。待ち受けモード設定情報３００については、図３を用いて後述する。
【００２３】
コンテンツ送受信アプリケーション４００は、メモリ１０７に記憶されている画像や音楽等のコンテンツデータ５００を、他の通信装置送信するためのアプリケーションである。コンテンツ送受信アプリケーション４００は、データの種類や通信方式（プロトコル）に応じて複数格納できるようにしても良い。
【００２４】
コンテンツデータ５００は、画像や音声等のデータである。データには、携帯端末１００に備えられるカメラ等で撮影したものや、ネットワークからダウンロードしたものがある。
【００２５】
操作入力部１０８は、電話番号等を入力する数字キーや各種機能を動作させる機能キー等からなる。
近接無線通信モジュール１０９は、他の装置と無線通信を実行するモジュールである。無線通信モジュール８と同様に、およそ１センチ四方の大きさの無線通信アンテナ１０９ａを備える。無線通信アンテナ８ａと無線通信アンテナ１０９ａとが通信可能距離である数センチ以内に存在すると、近距離無線通信が確立する。
【００２６】
制御部１１０は、携帯端末１００の他の機能部を制御することで携帯端末１００全体の制御を行う。制御部１１０は、電話通信部１０２における通信プロトコル制御及びユーザインタフェース等の制御を行う。更に制御部１１０は、電話通信部１０２から着信を示す信号を受信すると、バイブレータ１１１、ＬＥＤ１１２、効果音用スピーカ１１３、表示部１０６等の報知デバイスにより着信を報知する。また、アラームやスケジュール機能に関するアプリケーションを実行することにより、報知するべきイベントが発生した場合には上記の報知デバイスを用いて報知する。以下本実施形態においては、着信やアラーム等のユーザに報知する事象をまとめて報知イベントと呼ぶ。
【００２７】
バイブレータ１１１は、携帯端末１００筐体内に収容され、報知イベントに伴って振動する。一般的にはモータの軸に重心を偏らせた重りを取り付けて回転させることで振動を発生させる。
【００２８】
ＬＥＤ１１２は、携帯端末１００筐体表面に露出するように設けられ、報知イベントに伴って発光する。
効果音用スピーカ１１３は、携帯端末１００筐体内に収容され、報知イベントに伴って音声出力をする。
呼制御モジュール１１４は、報知イベントに応じて、バイブレータ１１１、ＬＥＤ１１２、効果音用スピーカ１１３、表示部１０６の報知デバイスの動作を制御する。
【００２９】
次に、図３を用いて、本実施の形態における待ち受けモードについて説明する。図３は、本実施の形態における待ち受けモード設定情報３００の記憶状態の例を示す図である。
【００３０】
図３に示すように、本実施の形態の携帯端末１００は、待ち受けモードとして、通常モードと、マナーモードと、サイレントモードとの３つのモードを有する。各モードにおいて、バイブレータ１１１、ＬＥＤ１１２、効果音用スピーカ１１３、表示部１０６のＯＮ／ＯＦＦが設定されている。ユーザによって各デバイスのＯＮ／ＯＦＦを設定し、オリジナルの待ち受けモードを設定することも可能である。
【００３１】
バイブレータ１１１がＯＮの場合は、報知イベントに応じて振動する。ＬＥＤ１１２がＯＮの場合は、報知イベントに応じて発光する。効果音用スピーカ１１３がＯＮの場合は、報知イベントに応じて音を出力する。表示部１０６がＯＮの場合は、報知イベントを記載した表示を行う。
【００３２】
通常モードは、バイブレータ１１１がＯＦＦ、ＬＥＤ１１２がＯＮ、効果音用スピーカ１１３がＯＮ、表示部１０６がＯＮに設定されている状態である。即ち、通常モードに設定されている場合には、携帯端末１００は光と音と画面表示により報知イベントを報知する。
【００３３】
マナーモードは、バイブレータ１１１がＯＮ、ＬＥＤ１１２がＯＮ、効果音用スピーカ１１３がＯＦＦ、表示部１０６がＯＮに設定されている状態である。即ち、マナーモードに設定されている場合には、携帯端末１００は振動と光と画面表示を用いて報知イベントを報知する。
【００３４】
サイレントモードは、バイブレータ１１１がＯＦＦ、ＬＥＤ１１２がＯＦＦ、効果音用スピーカ１１３がＯＦＦ、表示部１０６がＯＮに設定されている状態である。即ち、サイレントモードに設定されている場合には、携帯端末１００は画面表示を用いて報知イベントを報知する。
【００３５】
以上のように、携帯端末１００の待ち受けモードに対応付けて、各報知デバイスのＯＮ／ＯＦＦが設定されている。
本実施の形態においては、上述のようにパーソナルコンピュータ１と携帯端末１００との間で無線通信を行う場合には、本体筐体２ａ上面のパームレストに携帯端末１００を載置する。このような配置で無線通信を実行する場合であって、携帯端末１００の待ち受けモードがマナーモードに設定されていることを想定する。すると無線通信実行中に報知イベントが発生したとすると、マナーモードにおいてはバイブレータ１１１がＯＮとなっているので、携帯端末１００が振動することでパームレスト上を移動し本体筐体２ａ上から落下する虞がある。
【００３６】
本実施の形態においては、無線通信の通信距離としては数センチを想定しているので、携帯端末１００が移動若しくは落下すると無線通信モジュール８の通信可能距離外となりデータ送信が失敗してしまう。このような事態を回避するために、本実施の形態においては、無線通信を介してデータ送信を行う場合には、振動による報知を実行しないように制御する。
【００３７】
次に、本実施の形態における報知デバイスの制御を設定する手順について説明する。図４は、本実施の形態における報知デバイスの制御を設定する設定画面６００の例である。設定画面６００は、待ち受けモード管理アプリケーション２００により表示部１０６に表示される。設定画面６００には、コンテンツデータ５００の送信が完了するまでバイブレータ１１１の動作をＯＦＦに設定するか否かを問うメッセージと、選択ボタン６０１及び６０２とが表示される。ユーザは操作入力部１０８を操作し、ボタン６０１及び６０２を選択する。
【００３８】
次に、携帯端末１００からパーソナルコンピュータ１へコンテンツデータ５００を送信する場合を例に、本実施の形態における報知デバイスの制御について説明する。図５は、本実施の形態における報知デバイス制御のシーケンス図である。
【００３９】
まず、ユーザが送信を所望するコンテンツデータ５００を選択することで、コンテンツデータ５００に対応するコンテンツ送受信アプリケーション４００の起動要求を制御部１１０に送出する（ステップＳ１）。制御部１１０は、選択されたコンテンツ送受信アプリケーション４００を起動する（ステップＳ２）。
【００４０】
次に、ユーザは携帯端末１００を無線通信アンテナ８ａ上に載置する（ステップＳ３）。すると、無線通信アンテナ８ａと無線通信アンテナ１０９ａとの間で無線通信が確立する（ステップＳ４）。
【００４１】
次に、待ち受けモード管理アプリケーション２００は、待ち受けモード設定情報３００を参照して、現在選択されている待ち受けモード及び報知デバイスの設定を確認する（ステップＳ５）。現在選択されている待ち受けモードにおいてバイブレータ１１１がＯＮに設定されている場合、振動機能を制限し代替機能を追加する（ステップＳ６）。即ち、バイブレータ１１１をＯＦＦに設定し、代わりにＬＥＤ１１２や効果音用スピーカ１１３をＯＮに設定して、代替の報知デバイスによる報知を行う。待ち受けモード管理アプリケーション２００は、変更した報知デバイスのＯＮ／ＯＦＦ設定を待ち受けモード設定情報３００に記憶する。
【００４２】
次に、コンテンツ送受信アプリケーション４００は、コンテンツデータ５００の送信を開始する（ステップＳ７）。次に、パーソナルコンピュータ１の無線通信モジュール８は、コンテンツデータ５００の受信を開始する（ステップＳ８）。
【００４３】
一定時間後、コンテンツ送受信アプリケーション４００によるコンテンツデータ５００の送信が終了する（ステップＳ９）。これに伴って、携帯端末１００側においてもコンテンツデータ５００の受信が終了する（ステップＳ１０）。次に、パーソナルコンピュータ１のディスプレイ３ａにコンテンツデータ５００受信の終了を表示する（ステップＳ１１）。また同時に、無線通信モジュール８は近接無線通信モジュール１０９に対して、コンテンツデータ５００受信終了通知を送出する（ステップＳ１２）。近接無線通信モジュール１０９にてコンテンツデータ５００受信終了通知を受信すると、制御部１１０を介して表示部１０６にてコンテンツデータ５００送信終了通知を行う（ステップＳ１３）。
【００４４】
次に、報知デバイス制御部１１２は、ステップＳ６にて行った機能制限及び代替機能の追加を解除する（ステップＳ１４）。制御部１１０は、コンテンツ送受信アプリケーション４００を終了する（ステップＳ１５）。
【００４５】
次に、本実施の形態における携帯端末１００が実行する報知デバイス制御の手順について説明する。図６は、本実施の形態における報知デバイス制御手順を示すフローチャートである。
【００４６】
まず、近接無線通信モジュール１０９は、通信相手を検出したか否かを判別する（ステップＳ１０１）。ステップＳ１０１で判別した結果、通信相手を検出していないと判別した場合（ステップＳ１０１のＮｏ）、ステップＳ１０１に戻る。
【００４７】
一方、ステップＳ１０１で判別した結果、通信相手を検出したと判別した場合（ステップＳ１０１のＹｅｓ）、次に制御部１１０はコンテンツ送受信アプリケーション４００の起動を行う（ステップＳ１０２）。即ち、制御部１１０は操作入力部１０８からの入力に従って、選択されたコンテンツデータ５００を送信するためのコンテンツ送受信アプリケーション４００を起動する。
【００４８】
次に、制御部１１０は、バイブレータ１１１の設定変更を行うか否かを判別する（ステップＳ１０３）。即ち、設定画面６００を表示部１０６に表示し、ユーザによる選択があるか否かを判別する。
【００４９】
ステップＳ１０３で判別した結果、バイブレータ１１１の設定変更を行うと選択されたと判別した場合（ステップＳ１０３のＹｅｓ）、待ち受けモード管理アプリケーション２００は待ち受けモード設定情報３００を参照して、携帯端末１００の待ち受けモード及び報知デバイスのＯＮ／ＯＦＦ情報を確認する（ステップＳ１０４）。
【００５０】
ステップＳ１０３で判別した結果、バイブレータ１１１の設定変更を行わないと選択されたと判別した場合（ステップＳ１０３のＮｏ）、ステップＳ１０７に進む。
次に、待ち受けモード管理アプリケーション２００はバイブレータ１１１がＯＮに設定されているか否かを判別する（ステップＳ１０５）。ステップＳ１０５で判別した結果、バイブレータがＯＮに設定されていると判別した場合（ステップＳ１０５のＹｅｓ）、待ち受けモード管理アプリケーション２００は、バイブレータ１１１をＯＦＦに設定し代替機能を追加する（ステップＳ１０６）。代替機能の追加としては、ＬＥＤ１１２や効果音用スピーカ１１３をＯＮに設定することで行う。待ち受けモード管理アプリケーション２００は、変更した報知デバイスのＯＮ／ＯＦＦ設定を待ち受けモード設定情報３００に記憶する。
【００５１】
次に、コンテンツ送受信アプリケーション４００は、コンテンツデータ５００の送信を開始する（ステップＳ１０７）。次に、コンテンツ送受信アプリケーション４００は、コンテンツデータ５００の送信が終了したか否かを判別する（ステップＳ１０８）。
【００５２】
ステップＳ１０８で判別した結果、コンテンツデータ５００の送信が終了していないと判別した場合（ステップＳ１０８のＮｏ）、ステップＳ１０８に戻る。一方、ステップＳ１０８で判別した結果、コンテンツの送信が終了したと判別した場合（ステップＳ１０８のＹｅｓ）、待ち受けモード管理アプリケーション２００は報知デバイスの設定の変更を行ったか否かを判別する（ステップＳ１０９）。
【００５３】
ステップＳ１０９で判別した結果、報知デバイスの設定の変更を行ったと判別した場合（ステップＳ１０９のＹｅｓ）、待ち受けモード管理アプリケーション２００はバイブレータ１１１をＯＮに設定し、追加した代替機能を解除する（ステップＳ１１０）。即ち、報知デバイスの設定変更を行う前の状態に戻す。次に、制御部１１０はコンテンツ送受信アプリケーション４００を終了する（ステップＳ１１１）。
【００５４】
一方、ステップＳ１０９で判別した結果、報知デバイスの設定変更を行っていないと判別した場合（ステップＳ１０９のＮｏ）ステップＳ１１１に進む。以上で、本実施の形態における携帯端末１００における報知デバイスの制御の手順を終了する。
【００５５】
以上の報知デバイスの設定変更においては、代替手段としてＬＥＤ１１２及び効果音用スピーカ１１３をＯＮに設定するとしたがこれに限定されることはない。マナーモード選択時には、効果音用スピーカ１１３をＯＮに設定しない等、ユーザにより代替手段を選択することができるとしても良い。
【００５６】
次に、報知デバイスの設定変更を行った場合の報知手順について説明する。図７は、本実施の形態における報知デバイスの設定変更を行った場合の報知手順を示すフローチャートである。
【００５７】
まず、呼制御モジュール１１４は報知イベントの発生を検出する（ステップＳ２０１）。次に、待ち受けモード管理アプリケーション２００は、設定変更を行った待ち受けモード設定情報３００を読み込む（ステップＳ２０２）。
【００５８】
次に、呼制御モジュール１１４は、バイブレータ１１１がＯＦＦに設定する（ステップＳ２０３）。次に呼制御モジュール１１４は、ＬＥＤ１１２がＯＮに設定されているか否かを判別する（ステップＳ２０４）。
【００５９】
ステップＳ２０４で判別した結果、ＬＥＤ１１２がＯＮに設定されていると判別した場合（ステップＳ２０４のＹｅｓ）、報知イベントに伴ってＬＥＤ１１２を発光させるように設定する（ステップＳ２０５）。次に、呼制御モジュール１１４は、効果音用スピーカ１１３がＯＮに設定されているか否かを判別する（ステップＳ２０６）。
【００６０】
ステップＳ２０６で判別した結果、効果音用スピーカ１１３がＯＮに設定されていると判別した場合（ステップＳ２０６のＹｅｓ）、報知イベントに伴って効果音用スピーカ１１３から音声を出力するように設定する（ステップＳ２０７）。呼制御モジュール１１４は、以上のように設定される報知デバイスのＯＮ／ＯＦＦ状態で報知イベントを実行する（ステップＳ２０８）。以上で、報知デバイスの設定変更を行った場合の報知手順を終了する。
【００６１】
以上のように構成される本実施の形態においては、バイブレータ１１１による報知を行わないように制御することで、無線通信中に着信やアラーム等の報知イベントが発生したとしても携帯端末１００が移動することがなく確実に無線通信を実行することができる。また、ＬＥＤ１１２や効果音用スピーカ１１３等の代替手段で報知を行うことで、無線通信中であってもユーザに着信やアラーム時刻を知らせることができる。
【００６２】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６３】
１…パーソナルコンピュータ、２…コンピュータ本体、２ａ…本体筐体、３…ディスプレイユニット、３ａ…ディスプレイ、４…ヒンジ、５…キーボード、６…タッチパッド、７…電源スイッチ、８…無線通信モジュール、８ａ…無線通信アンテナ、１００…携帯端末、１０１…アンテナ、１０２…電話通信部、１０３…通話制御部、１０４…マイクロホン１０４、１０５…受話用スピーカ１０５、１０６…表示部、１０７…メモリ１０７、１０８…操作入力部、１０９…近接無線通信モジュール、１０９ａ…無線通信アンテナ、１１０…制御部、１１１…バイブレータ、１１２…ＬＥＤ、１１３…効果音用スピーカ、１１４…呼制御モジュール、２００…待ち受けモード管理アプリケーション、３００…待ち受けモード設定情報、４００…コンテンツ送受信アプリケーション、５００…コンテンツデータ、６００…設定画面、６０１〜６０２…ボタン。
【図１】
2011160155.tif 000003
【図２】
2011160155.tif 000004
【図３】
2011160155.tif 000005
【図４】
2011160155.tif 000006
【図５】
2011160155.tif 000007
【図６】
2011160155.tif 000008
【図７】
2011160155.tif 000009